(57)【要約】【課題】簡単な操作で、モップの払拭体の全体に付着した塵埃を確実に除去することができるモップクリーナーを提供する。【解決手段】モップ８を装着する為の開口部４ｃを有しモップ８の払拭体８ｂに付着した塵埃９を除去する除塵体４と、除塵体４を収容した収納ケース３と、塵埃９を保管する塵埃収納体５を有するモップクリーナー１において、除塵体４は、概筒状の網状部材及び／又はパンチングメタル部材にて形成され、除塵体４の内側表面に塵埃捕捉部４ｂが形成されていると共に、除塵体４の外側に塵埃収納体５に連通する塵埃通路６が形成されているもので、モップ８に付着した塵埃は、塵埃捕捉部４ｂで強力に掻き取られると共に、塵埃９が除塵体４の網目４ｄから分離されるので、モップ８表面の略全域に亘り、均一に塵埃９が除去されると共に、一旦除去された塵埃９がモップ８に再付着することもない。【選択図】図５
2015142897.tif 000002
【特許請求の範囲】
【請求項１】
モップを装着する為の開口を有し前記モップの払拭体に付着した塵埃を除去する為の除塵体と、前記除塵体を収納する収納ケースと、前記塵埃を保管する為の塵埃収納体を有するモップクリーナーにおいて、前記除塵体は、概筒状の網状部材及び／又はパンチングメタル部材にて形成されてあり、前記除塵体の内側表面に塵埃捕捉部が形成されていると共に、前記除塵体の外側に前記塵埃収納体に連通する塵埃通路が形成されていることを特徴とするモップクリーナー。
【請求項２】
モップに当接可能な塵埃除去部材が、除塵体に対して移動可能に前記除塵体の外側に形成されていることを特徴とする請求項１に記載のモップクリーナー。
【請求項３】
除塵体の筒状横断面は、概星形状に形成されていることを特徴とする請求項１又は２に記載のモップクリーナー。
【請求項４】
モップを収納ケース内に挿入した時の除塵体に対する摩擦力と、前記モップを前記収納ケース内から脱着する時の前記除塵体に対する摩擦力が異なることを特徴とする請求項１〜３のいずれか１項に記載のモップクリーナー。
【請求項５】
除塵体は、金属材料にて形成されていることを特徴とする請求項１〜４のいずれか１項に記載のモップクリーナー。
【発明の詳細な説明】
【技術分野】
【０００１】
本発明は、フローリング等の床面や、ウインドーブラインド、棚などの家具に付着した埃を取り除くモップを清掃するモップクリーナーに関するものである。
【背景技術】
【０００２】
従来のこの種のモップクリーナーとして、枝の先端に設けたモップ（清掃部材）と、電気掃除機の上部に設けられ前記モップを収納する収納部と、掃除機本体に内蔵されると共に前記収納部に連通する電動送風機と備え、モップを収納部に収納すると、電動送風機の吸引力でモップに付着した塵埃が除去されるようにしたものがある（例えば、特許文献１参照）。
【０００３】
また、前面下端に位置し、前方に開口すると共に集塵パックを介して電動送風機に連通する吸引開口部と、前記吸引開口部の前部に設けられると共に下方に突出する複数の軸体からなる櫛歯状部材を備え、床面の塵埃をモップで吸引開口部に寄せ集めて清掃処理を行う際に、モップを軸体に押し当てながら上下に移動させることで、モップに付着した塵埃を吸引するようにしたものもある（例えば、特許文献２参照）。
【０００４】
また、本体側面に設けられると共に本体内部のファンと連通する接続口と、前記本体側面に取り付けられる清掃部材収納ボックスとを備え、前記清掃部材収納ボックスは、モップに静電気を帯電させる帯電体と、モップに帯電した静電気を除く除電体と、モップの穂を梳く櫛材を有し、前記接続口に連通すると共にモップに付着した塵埃を除去する塵埃除去部を備え、前記ファンを駆動させてモップに付着した塵埃を吸引するようにしたものがある（例えば、特許文献３、４参照）。
【先行技術文献】
【特許文献】
【０００５】
【特許文献１】特開２００６−３４０８２６号公報
【特許文献２】特開２０１２−２４５３１８号公報
【特許文献３】特開２０１３−１６７４０１号公報
【特許文献４】特開２０１３−１６６１１９号公報
【発明の概要】
【発明が解決しようとする課題】
【０００６】
しかしながら、上記特許文献１に記載されたような従来のモップクリーナーでは、モップに付着した塵埃を単に吸引するだけで、掻き取ることができないので、塵埃の除去性能が悪いという課題があった。
【０００７】
又、上記特許文献２に記載されたような従来のモップクリーナーでは、モップの先端に付着した塵埃は、櫛歯状部材で掻き取れるが、モップの、吸引開口部の底面や櫛歯状部材にあたらない部分の塵埃を掻き取れないという課題があった。
【０００８】
又、上記特許文献３や４に記載されたような従来のモップクリーナーでは、モップを塵埃除去部まで挿入する際に、モップが順に帯電、除電されるものの、櫛材の凸部でモップを梳くので、凸部近傍の塵埃しか掻き取れない、という課題があった。
【０００９】
本発明は、前記従来の課題を解決するもので、簡単な操作で、モップの払拭体の全体に付着した塵埃を確実に除去することができるモップクリーナーを提供することを目的とする。
【課題を解決するための手段】
【００１０】
前記従来の課題を解決するために、本発明のモップクリーナーは、モップを装着する為の開口を有し前記モップの払拭体に付着した塵埃を除去する為の除塵体と、前記除塵体を収納する収納ケースと、前記塵埃を保管する為の塵埃収納体を有するモップクリーナーにおいて、前記除塵体は、概筒状の網状部材及び／又はパンチングメタル部材にて形成されてあり、前記除塵体の内側表面に塵埃捕捉部が形成されていると共に、前記除塵体の外側に前記塵埃収納体に連通する塵埃通路が形成されていることを特徴とするもので、モップに付着した塵埃は、前記除塵体の内側表面に形成した塵埃捕捉部で強力に掻き取られると共に、塵埃が網状部材及び／又はパンチングメタル部材の網目の隙間から分離されるので、モップ表面の略全域に亘り、均一に塵埃が除去されると共に、一旦除去された塵埃がモップに再付着することもない。
【発明の効果】
【００１１】
本発明のモップクリーナーは、簡単な操作で、モップの払拭体の全体に付着した塵埃を確実に除去することができる。
【図面の簡単な説明】
【００１２】
【図１】本発明の第１の実施の形態におけるモップクリーナーの斜め上方から見たときの部分透視図
【図２】同モップクリーナーの縦断面図
【図３】同モップクリーナーの要部拡大断面図
【図４】同モップクリーナーの除塵体の他の例を示す斜視図
【図５】同モップクリーナーの動作を示す縦断面図
【図６】同モップクリーナーの除塵体の他の例を示す斜視図
【図７】本発明の第２の実施の形態におけるモップクリーナーの斜め上方から見たときの部分透視図
【図８】同モップクリーナーの塵埃除去具の斜視図
【図９】同塵埃除去具の塵埃除去部材の部分斜視断面図
【図１０】（ａ）〜（ｃ）同モップクリーナーの除塵体の側面と塵埃除去部材のブラシ部との位置関係を示す図
【図１１】本発明の第３の実施の形態におけるモップクリーナーの除塵体の上部斜視図
【図１２】本発明の第４の実施の形態におけるモップクリーナーの除塵体の部分拡大断面図
【図１３】本発明の第５の実施の形態におけるモップクリーナーの上部透視図
【図１４】本発明の第６の実施の形態におけるモップクリーナーの透視図
【発明を実施するための形態】
【００１３】
第１の発明は、モップを装着する為の開口を有し前記モップの払拭体に付着した塵埃を除去する為の除塵体と、前記除塵体を収納する収納ケースと、前記塵埃を保管する為の塵埃収納体を有するモップクリーナーにおいて、前記除塵体は、概筒状の網状部材及び／又はパンチングメタル部材にて形成されてあり、前記除塵体の内側表面に塵埃捕捉部が形成されていると共に、前記除塵体の外側に前記塵埃収納体に連通する塵埃通路が形成されていることを特徴とするもので、モップに付着した塵埃は、前記除塵体の内側表面に形成した塵埃捕捉部で強力に掻き取られると共に、塵埃が網状部材及び／又はパンチングメタル部材の網目の隙間から分離されるので、モップ表面の略全域に亘り、均一に塵埃が除去されると共に、一旦除去された塵埃がモップに再付着することもない。
【００１４】
第２の発明は、特に、第１の発明のモップに当接可能な塵埃除去部材が、除塵体に対して移動可能に前記除塵体の外側に形成されているもので、塵埃除去部材を除塵体の外面を移動させることにより、網状部材及び／又はパンチングメタル部材の網目の隙間から分離された塵埃を、塵埃除去部材にて確実に剥離し、塵埃収納体に確実に移動させることができる。
【００１５】
第３の発明は、特に、第１又は第２の発明の除塵体の筒状横断面は、概星形状に形成されているもので、星形状の凹凸部によりモップの表面に付着した塵埃を確実に掻き取ることができる。
【００１６】
第４の発明は、特に、第１〜３のいずれかひとつの発明のモップを収納ケース内に挿入した時の除塵体に対する摩擦力と、前記モップを前記収納ケース内から脱着する時の前記除塵体に対する摩擦力が異なるもので、例えば、除塵体の内側表面に形成した塵埃捕捉部を内側に向けて斜め下方に突出させると、モップを除塵体に挿入する際、抵抗が少ないので操作がしやすく、逆にモップを除塵体から引き抜くときは、モップと除塵体と間の摩擦力が大きくなり、すなわち塵埃捕捉部でモップの払拭体に付着した塵埃を強力に掻き取ることができる。また、塵埃捕捉部を内側に向けて斜め上方に突出させると、モップを除塵体に挿入する際に、塵埃捕捉部でモップの払拭体に付着した塵埃を強力に掻き取り、逆にモップを除塵体から引き抜くときは、抵抗が少ないので簡単に抜け、操作がしやすい。
【００１７】
第５の発明は、特に、第１〜４のいずれかひとつの発明の除塵体は、金属材料にて形成されているもので、静電気が帯電したモップの払拭体が金属材料からなる除塵体に当接すると、電荷が除塵体から収納ケースにアースされて、モップの払拭体の表面が除電され、モップに付着した頑固な塵埃も、容易かつ瞬時に除去することができる。
【００１８】
以下、本発明の実施の形態について、図面を参照しながら説明する。なお、この実施の形態によって本発明が限定されるものではない。
（実施の形態１）
【００１９】
図１は、本発明の第１の実施の形態におけるモップクリーナーの斜め上方から見たときの部分透視図、図２は、同モップクリーナーの縦断面図、図３は、同モップクリーナーの要部拡大断面図、図４は、同モップクリーナーの除塵体の他の例を示す斜視図、図５は、同モップクリーナーの動作を示す縦断面図である。
【００２０】
図１〜３において、本実施の形態におけるモップクリーナー１は、中央部に穴部２ａが形成されてあると共に筒状で底部の内壁に一体的に且つクロス状に取り付けられた桟２を有する収納ケース３と、収納ケース３の内径より小径で同じく筒状でかつ金属製の網状部材で形成された除塵体４と、収納ケース３の下端に螺子嵌合などにより着脱自在に取着されると共に塵埃を収納する塵埃収納体５から構成されている。
【００２１】
塵埃収納体５の側面には、一般家庭で使用される電気掃除機の延長管やホースの先端が嵌合可能な吸引開閉部７が設けられている。本実施の形態においては、吸引開閉部７に形成された蓋体７ａをスライドさせて使用する。
【００２２】
桟２には、除塵体４の内壁に嵌合する凸部３ａが形成され、その凸部３ａには、除塵体４の下部に設けた被係止部４ａに係止する係止部３ｂが設けられており、除塵体４を収納ケース３の上端の開口３ｃから挿入すると、除塵体４の下端は、収納ケース３と同心円状に桟２に載置されると共に被係止部４ａに係止部３ｂが係止されるので、除塵体４が不用意に収納ケース３から外れることはない、
【００２３】
本実施の形態では、収納ケース３に上記のように除塵体４を収納したときは収納ケース３の上端と除塵体４の上端がほぼ同一面にもしくは、除塵体４の上端が収納ケース３の上端よりすこし低めになるように設定されている。
【００２４】
収納ケース３に除塵体４を収納したときに、収納ケース３の内壁と除塵体４の外壁との間に形成される空間は塵埃収納体５の内部と連通して塵埃通路６を形成する。
【００２５】
上記実施の形態では、除塵体４を網状部材で形成したが図４に示すようにパンチングメタル部材で形成しても良い。また、除塵体４は円筒状に形成されてあるが、円筒状以外にも角筒状や、断面が略Ｃ型形状の筒状、あるいは除塵体４を複数の部材で構成して互いの部材間に隙間を有した概筒状や、除塵体４を複数の部材で構成して互いの部材間を接合した概筒状を形成した形態であっても、本発明に含まれる。
【００２６】
また、除塵体４を形成する網状部材及び／またはパンチングメタル部材の内側表面には多数の塵埃捕捉部４ｂが形成されている。本実施の形態では、この塵埃捕捉部４ｂは、特に別部材で形成されているものではなく、網状部材を形成する線材の突起部やパンチングメタルの穴のバリなどで形成されている。
【００２７】
上記のように構成された本実施の形態におけるモップクリーナーの動作、作用を図５を用いて説明する。
【００２８】
収納ケース３内に収納した除塵体４の上端の開口部４ｃより、モップ８の柄８ａを掴んでモップ８を除塵体４内に挿入して上下動させると、モップ８の払拭体８ｂに付着した塵埃９は、筒状の除塵体４の内面にある塵埃捕捉部４ｂで強力に掻き取られると共に、除塵体４の網目４ｄを通過し塵埃通路６に流入し塵埃収納体５内に落下する。
【００２９】
また、塵埃捕捉部４ｂで強力に掻き取られた塵埃９の一部は、除塵体４の内面から桟２に形成された穴部２ａを通過し塵埃収納体５内に落下する。特に、本実施の形態では、除塵体４が筒状になっているので、モップ８の払拭体８ｂの表面の略全域に亘り、均一に塵埃９が除去されると共に、一旦除去された塵埃９がモップ８の払拭体８ｂに再付着することもない。
【００３０】
塵埃収納体５に塵埃９が堆積してきたときは、塵埃収納体５を収納ケース３から取り外し、ゴミ箱などに塵埃９を廃棄するだけなので、操作もきわめて容易である。
【００３１】
また、モップ８を清掃する際に、塵埃収納体５の側面に設けた吸引開閉部７に電気掃除機の延長管やホースの先端を嵌合させ、電気掃除機を運転しながら、モップ８を除塵体４内で上下動させれば、塵埃捕捉部４ｂで掻き取られた塵埃９は瞬時に除塵体４の網目４ｄを通過し塵埃通路６を通って電気掃除機の集塵部（図示せず）で捕捉されるので、塵埃９を廃棄するために塵埃収納体５を収納ケース３から取り外したりする必要は無く、一層使い勝手がよくまた、衛生的でもある。
【００３２】
また、図６に示すように、網状部材あるいはパンチングメタル部材で形成した除塵体４の両端を互いに逆方向にねじって、除塵体４をつづみ状にすれば、除塵体４の中央部のくびれ部４ｅで、モップ８の払拭体８ｂに対する塵埃捕捉部４ｂの作用が強く働き、塵埃除去性能が一層向上する。
（実施の形態２）
【００３３】
図７は、本発明の第２の実施の形態におけるモップクリーナーの斜め上方から見たときの部分透視図、図８は、同モップクリーナーの塵埃除去具の斜視図、図９は、同塵埃除去具の塵埃除去部材の部分斜視断面図、図１０（ａ）〜（ｃ）は、同モップクリーナーの除塵体の側面と塵埃除去部材のブラシ部との位置関係を示す図である。尚上記実施の形態１におけるモップクリーナーと同一部分に付いては同一符号を付してその説明を省略する。
【００３４】
図７〜１０において、本実施の形態におけるモップクリーナーは、上記実施の形態１におけるモップクリーナーの除塵体４と収納ケース３との間に、モップ８に当接可能な塵埃除去部材１１を螺旋状に設けた塵埃除去具１２を回転自在に設けたものである。
【００３５】
塵埃除去具１２は、収納ケース３の内壁に摺接する上リング１３、下リング１４と、上・下リング１３、１４間に連結された螺旋状の塵埃除去部材１１と、上リング１３に上方に突出して設けられたハンドル１５から構成されている。
【００３６】
塵埃除去部材１１は、多数の動物の毛や樹脂製の線材などからなるブラシ部１１ａを、金属製の線材などからなる芯線１１ｃと金属製の帯材などからなる基部１１ｂにて挟み付けて、ブラシ部１１ａの根元部が強固に保持されている。また、下リング１４の内壁と除塵体４との間には塵埃９の塵埃収納体５への落下に支障をきたさない様に十分な隙間１６が確保されるような形状になっている。また、塵埃収納体５は、概箱形状であり、収納ケース３内に着脱可能に装着されてある。
【００３７】
除塵体４の表面と塵埃除去部材１１のブラシ部１１ａの先端との間は、図１０（ａ）に示すように少し隙間１７を設けている。
【００３８】
本実施の形態におけるモップクリーナーは、以上のように構成されているので、モップ８を除塵体４内に挿入し、収納ケース３を手でつかみながらハンドル１５を反時計方向に回すと、塵埃除去部材１１が除塵体４に対して移動するので、除塵体４の網目４ｄからはみ出たモップの払拭体８ｂの先端に付着した塵埃９は、塵埃除去部材１１のブラシ部１１ａの先端で、上から下に向かって順に確実にこそぎ取られ、塵埃９を塵埃収納体５に移動させることができる。
【００３９】
また、図１０（ｂ）に示すように、塵埃除去部材１１の位置を、塵埃除去部材１１のブラシ部１１ａの先端が除塵体４の表面に接するように配置すれば、ハンドル１５を回転させると、除塵体４の網目４ｄからはみ出たモップ８の払拭体８ｂの先端に付着した塵埃９は勿論、除塵体４の表面に付着した塵埃９も除去し、塵埃収納体５に移動させることができる。
【００４０】
また、図１０（ｃ）に示すように、塵埃除去部材１１の位置を、塵埃除去部材１１のブラシ部１１ａの先端が除塵体４の網目４ｄを通して除塵体４の内部に進入するように配置すれば、ハンドル１５を回転させたときに、除塵体４の網目４ｄに絡まった塵埃９も除去することができる。
（実施の形態３）
【００４１】
図１１は、本発明の第３の実施の形態におけるモップクリーナーの除塵体の上部斜視図である。尚上記実施の形態におけるモップクリーナーと同一部分に付いては同一符号を付してその説明を省略する。
【００４２】
本実施の形態におけるモップクリーナーは、図１１に示すように収納ケース３に収納される除塵体１９の横断面が概星形状になるように、網状部材及び／又はパンチングメタルを蛇腹状に折って除塵体１９を形成したものである。
【００４３】
本実施の形態におけるモップクリーナーは、上記のように構成されているので、除塵体１９の概星形状の凹凸部１９ａによりモップ８の表面に付着した塵埃９を確実に掻き取ることができる。
（実施の形態４）
【００４４】
図１２は、本発明の第４の実施の形態におけるモップクリーナーの除塵体の部分拡大断面図である。尚上記実施の形態におけるモップクリーナーと同一部分に付いては同一符号を付してその説明を省略する。
【００４５】
本実施の形態におけるモップクリーナーは、収納ケース３に収納されモップ８の塵埃９を除去する除塵体２１を形成する網状部材としてラス網を使用するもので、例えば、ラス網を構成する線材２１ａの断面が図１２のようになっている場合は、すなわち塵埃捕捉部２１ｂが、線材２１ａの中心Ｐより下方に位置しているときは、モップ８を除塵体２１に挿入（実線の矢印方向）するときは、除塵体２１に対する摩擦力が小さくなり、挿入操作が容易である。一方、モップ８を除塵体２１から脱着（破線の矢印方向）するときは、除塵体２１の塵埃捕捉部２１ｂに引っ掛かりやすくなるので、除塵体２１に対する摩擦力が大きくなり、モップ８に付着した塵埃９を確実に除去することができる。
【００４６】
なお、特に図示しないが、ラス網を構成する線材の塵埃捕捉部２１ｂを、線材２１ａの中心Ｐより上方に位置させると、モップ８を除塵体２１に挿入するときは、除塵体２１に対する摩擦力が大きくなりモップ８に付着した塵埃９を確実に除去することができ、逆に、モップ８を除塵体２１から引き抜く時は、モップ８の除塵体２１に対する摩擦力が小さくなりモップ８を少ない力で簡単に引き抜くことができる。
【００４７】
また、上記実施の形態においては収納ケース３の材料を特に指定しなかったが、それを金属材料で形成した場合、除塵体４、１９、２１も金属材料で形成されているので、静電気が帯電したモップ８の払拭体８ｂが除塵体４、１９又は２１に当接すると、電荷が除塵体４、１９又は２１から収納ケース３にアースされて、モップ８の払拭体８ｂの表面が除電され、モップ８に付着した頑固な塵埃９も、容易かつ瞬時に除去することができる。
【００４８】
なお、収納ケース３や除塵体４、１９、２１の全てあるいは一部を樹脂材料で形成しても、上記実施の形態で述べた構成によれば、モップ８からの塵埃除去性能は従来技術によるものより優れていることには変わりはない。
（実施の形態５）
【００４９】
図１３は、本発明の第５の実施の形態におけるモップクリーナーの上部透視図である。尚上記実施の形態におけるモップクリーナーと同一部分に付いては同一符号を付してその説明を省略する。
【００５０】
本実施の形態におけるモップクリーナー２２は、図１３に示すように、除塵体４、１９又は２１を収納する収納ケース３に上方に向かって伸びる延伸部２３を設け、その延伸部２３の内壁の周方向に、不織布の端材などから形成され、モップ８の払拭体８ｂの毛を開かせるための櫛部材２４を複数設けたものである。すなわち本実施の形態におけるモップクリーナー２２は、上から順に櫛エリア（延伸部２３）と、網エリア（除塵体４、１９又は２１を収納する部分）と塵埃収納体５で構成されている。
【００５１】
本実施の形態におけるモップクリーナー２２は、以上のように構成されているので、モップ８を延伸部２３の上端開口２３ａから挿入すると、モップ８の払拭体８ｂの毛が櫛部材２４で開かれ、モップ８をさらに押し込むと除塵体４、１９又は２１により払拭体８ｂに付着した塵埃９が除去される。特に本実施の形態では、モップ８の払拭体８ｂが網エリアに達する前に毛が開かれるで、毛の側面部に付着した塵埃９も効率よく除去される。
【００５２】
なお、櫛部材２４は、モップ８から除去された塵埃９が上に舞がるのを防止する逆流防止ダンパーの機能も果たしている。
（実施の形態６）
【００５３】
図１４は、本発明の第６の実施の形態におけるモップクリーナーの透視図である。尚上記実施の形態におけるモップクリーナーと同一部分に付いては同一符号を付してその説明を省略する。
【００５４】
本実施の形態におけるモップクリーナー２６は、図１４に示すように、モップクリーナー本体２７と、モップクリーナー本体２７を回転自在に支持するベアリング２８が固着された台座２９から構成されている。モップクリーナー本体２７の構成は、上記実施の形態６で記載したものと同一でしかも、塵埃除去部材１１の配置は図１０（ｃ）に示したものと同じである。
【００５５】
本実施の形態におけるモップクリーナー２６は、上記のように構成されているので、モップ８を除塵体４に挿入すると、モップ８の払拭体８ｂが除塵体４の網目４ｄから内方にかつ螺旋状に突出した塵埃除去部材１１のブラシ部１１ａに当接するので、ブラシ部１１ａから受ける抵抗力に抗してモップ８を除塵体４内にさらに挿入すると、モップクリーナー本体２７に回転力（図１４の例では、反時計方向）が作用する。これにより、モップ８の払拭体８ｂに付着した塵埃９が除塵体４の塵埃捕捉部４ｂで確実に除去される。
【００５６】
また、特に図示しないが、モップ８をナイロン製とし、収納ケース３の開口３ｃに塩ビ製の筒体を設けておけば、モップ８が除塵体４に当接する前に、塩ビ製の筒体に当接して帯電され、そのモップ８が金属製の除塵体４に触れることで除電されるので、塵埃９のモップ８からの剥離性能が向上する。また、モップ８を引き抜くときに塩ビ製の筒体でモップ８が帯電され、モップ８への塵埃９の付着性能が向上する。
【００５７】
さらにまた、特に図示しないが、モップ８が除塵体４に当接する際に、除塵体４、１９、２１を上下動させながら、塵埃除去具１２を回転させる構成も採用できる。前記構成を採用することにより、塵埃除去部材１１のブラシ部１１ａは、除塵体４、１９、２１の上下方向に直交する方向に回転しながら、同時に、上下する除塵体４、１９、２１に当接することができる。その為、除塵体４、１９、２１の塵埃捕捉部４ｂ、２１ｂで除去された塵埃９を、除塵体４、１９、２１の上下動と塵埃除去具１２の回転による相乗効果により、塵埃除去部材１１にて、より確実に除去して塵埃収納体５に移動させることができる。また、除塵体４、１９、２１は上下動する為、モップ８を除塵体４に当接させて静止させた状態においても、的確かつ確実に、塵埃９を除去できる。なお、除塵体４、１９、２１の上下動と塵埃除去具１２の回転の駆動方法については、目的に応じて、自動、手動を適宜、設定できる。
【産業上の利用可能性】
【００５８】
以上のように、本発明にかかるモップクリーナーは、簡単な操作で、モップの払拭体の全体に付着した塵埃を確実に除去することができるもので、各種モップの清掃に広く使える。
【符号の説明】
【００５９】
１、２２、２６  モップクリーナー
２  桟
２ａ  穴部
３  収納ケース
３ａ  凸部
３ｂ  係止部
３ｃ  開口
４、１９、２１  除塵体
４ａ  被係止部
４ｂ、２１ｂ  塵埃捕捉部
４ｃ  開口部（開口）
４ｄ  網目
４ｅ  くびれ部
５  塵埃収納体
６  塵埃通路
７  吸引開閉部
７ａ  蓋体
８  モップ
８ａ  柄
８ｂ  払拭体
９  塵埃
１１  塵埃除去部材
１１ａ  ブラシ部
１１ｂ  基部
１１ｃ  芯線
１２  塵埃除去具
１３  上リング
１４  下リング
１５  ハンドル
１６、１７  隙間
１９ａ  凹凸部
２１ａ  線材
２３  延伸部
２４  櫛部材
２７  モップクリーナー本体
２８  ベアリング
２９  台座
【図１】
2015142897.tif 000003
【図２】
2015142897.tif 000004
【図３】
2015142897.tif 000005
【図４】
2015142897.tif 000006
【図５】
2015142897.tif 000007
【図６】
2015142897.tif 000008
【図７】
2015142897.tif 000009
【図８】
2015142897.tif 000010
【図９】
2015142897.tif 000011
【図１０】
2015142897.tif 000012
【図１１】
2015142897.tif 000013
【図１２】
2015142897.tif 000014
【図１３】
2015142897.tif 000015
【図１４】
2015142897.tif 000016